(57)【要約】一例では、切断モジュールは、切断モジュールを駆動シャフトと係合させるためのハウジングと、ハウジング内に配置されたカッターと、カッターがイメージング装置の媒体経路に沿って媒体を切断するようにカッターを駆動する駆動システムとを含むことが可能である。切断モジュールは、駆動シャフトに沿って媒体経路に対して横方向に移動することが可能である。【選択図】図１Ｃ
2019511370.tif 000002
【特許請求の範囲】
【請求項１】
切断モジュールであって、
該切断モジュールがイメージング装置の媒体経路に対して横方向に駆動シャフトに沿って移動するように該切断モジュールを該駆動シャフトに係合させるハウジングと、
該ハウジング内に配設された第１のカッターと、
該第１のカッターが前記媒体経路に沿って媒体を切断するように該第１のカッターを駆動する駆動システムと
を備えている、切断モジュール。
【請求項２】
前記媒体経路に沿って媒体を切断する第２のカッターを更に備えている、請求項１に記載の切断モジュール。
【請求項３】
前記第１のカッター及び前記第２のカッターが回転カッターである、請求項２に記載の切断モジュール。
【請求項４】
前記駆動シャフトが、前記駆動システムを介して前記第１のカッターを駆動するよう回転する、請求項１に記載の切断モジュール。
【請求項５】
前記駆動システムが、前記駆動シャフトを前記第１のカッターに動作可能な状態で係合させるトランスミッションを含む、請求項４に記載の切断モジュール。
【請求項６】
切断モジュールであって、
イメージング装置の媒体経路内に延びる駆動シャフトと、
該切断モジュールを前記媒体経路内に調節可能に配置するよう前記駆動シャフトと係合するハウジングと、
第１のカッター及び第２のカッターとを備えており、前記駆動シャフトが少なくとも前記第１のカッターを駆動して前記媒体経路内の媒体を該媒体経路に沿った方向に切断する、
切断モジュール。。
【請求項７】
前記ハウジングが、該切断モジュールを前記媒体経路内に調節可能に配置するように、該媒体経路に対して横方向に前記駆動シャフトに沿って移動可能である、請求項６に記載の切断モジュール。
【請求項８】
移動装置が、該切断モジュールを前記媒体経路に対して横方向に前記駆動シャフトに沿って移動させる、請求項７に記載の切断モジュール。
【請求項９】
前記イメージング装置がプロセッサを備えており、該プロセッサが、該切断モジュールが媒体を所望の幅に切断するように該切断モジュールを前記駆動シャフトに沿って移動させるよう前記移動装置に指示する、請求項８に記載の切断モジュール。
【請求項１０】
前記駆動シャフトが、該切断モジュールが前記媒体経路内の媒体を切断しないように、該切断モジュールを該媒体経路外に回転させる、請求項６に記載の切断モジュール。
【請求項１１】
イメージング装置の切断システムであって、
駆動シャフトと、
切断モジュールであって、
該切断モジュールが前記イメージング装置の媒体経路内に配置されるように該切断モジュールを前記駆動シャフトに係合させるハウジングと、
駆動システムを介して前記駆動シャフトに係合されたカッターであって、前記イメージング装置内の前記媒体経路を通って移動する媒体を切断するように前記駆動シャフトにより駆動される、カッターと
を含む、切断モジュールと
を備えている、イメージング装置の切断システム。
【請求項１２】
前記媒体を調節可能な幅に切断するために前記切断モジュールを前記イメージング装置の前記媒体経路に対して横方向に移動させる移動装置を更に備えている、請求項１１に記載の切断システム。
【請求項１３】
前記移動装置が、前記切断モジュールを移動させるためのベルト駆動部を備えている、請求項１２に記載の切断システム。
【請求項１４】
前記イメージング装置内の媒体を切断するための第２の切断モジュールを更に備えており、前記移動装置が、前記第１の切断モジュール及び前記第２の切断モジュールを前記イメージング装置の前記媒体経路に対して横方向に移動させて前記媒体を調節可能な幅に切断する、請求項１２に記載の切断システム。。
【請求項１５】
前記駆動シャフトが、前記切断モジュールが前記媒体経路内の媒体を切断しないように前記第１の切断モジュール及び前記第２の切断モジュールを前記媒体経路外に回転させる、請求項１４に記載の切断システム。
【発明の詳細な説明】
【背景技術】
【０００１】
イメージングシステムは、媒体を用いて、プリント、スキャン、コピー、又はその他のアクション又は動作を実行することが可能である。更に、イメージングシステムは、媒体上に対する動作又は該媒体を用いた動作を行うために該イメージングシステムを介して媒体を装填し、及び媒体を搬送し又は駆動するための供給システム又は採取（picking）システムを含むことが可能である。イメージングシステムは、マーク又はパターンのために媒体をスキャンし、インク又は他のプリンティング材料などのプリンティング流体を媒体上に堆積させ、及び／又は他の機能に加えて媒体上のマーク又はパターンを含む該媒体の複製を生成することが可能である。
【図面の簡単な説明】
【０００２】
【図１Ａ】例示的な切断モジュールの斜視図である。
【図１Ｂ】例示的な切断モジュールの斜視図である。
【図１Ｃ】例示的な切断モジュールを含む例示的なイメージング装置の斜視図である。
【図２Ａ】例示的な切断モジュールの斜視図である。
【図２Ｂ】例示的な切断モジュールの側面図である。
【図２Ｃ】例示的な切断モジュールの側面図である。
【図３Ａ】例示的な切断モジュールを含む例示的なイメージング装置の斜視図である。
【図３Ｂ】例示的な切断モジュールを含む例示的なイメージング装置の正面図である。
【図３Ｃ】例示的な切断モジュールを含む例示的なイメージング装置の正面図である。
【発明を実施するための形態】
【０００３】
イメージングシステムは、スキャンシステム、コピーシステム、プリンティングシステム又はプロッタシステム、又は媒体（プリンティング媒体とも呼ばれる）上に対する又は媒体を用いたアクション又は動作を行うその他のシステムを含むことが可能である。イメージングシステムは、インク等のプリンティング流体又はその他のプリンティング材料を媒体上に堆積させることが可能である。イメージングシステムは、媒体ロールからイメージングシステムを介して供給された媒体上にプリンティング材料を堆積させることが可能である。他の場合、媒体は、イメージングシステムで使用するために媒体のスタック又は１リーム（紙の計数単位）の媒体からピックアップすることが可能であり、又は媒体は、一度に１枚のシート紙をイメージングシステム内に供給することが可能である。場合によっては、媒体は、プリント対象又はベッド上に堆積される３次元（3D）プリンタの（3D）プリントパウダーとすることが可能である。場合によっては、媒体は、イメージング装置においてプリントされ、スキャンされ、又はコピーされる領域とは異なるサイズのものとすることが可能である。このような場合には、イメージングシステムが媒体について所望の動作を行う前又はその後に媒体を切断し又はトリミングすることが望ましい場合がある。場合によっては、イメージング装置が媒体上にプリンティング材料を堆積させた後に該媒体を適当なサイズに切断し又はトリミングすることが望ましい場合がある。
【０００４】
場合によっては、媒体は、イメージング装置に装填される前に予めカットすることが可能であり、又は、該イメージング装置内での操作を受けた後に仕上げ操作又は第２の操作を行う間にイメージング装置から取り出して適当なサイズにカットし又はトリミングすることが可能である。場合によっては、媒体は、イメージング装置に装填する前又はイメージング装置から取り出した後に、適当なサイズに手動でトリミングし又は切断することが可能である。かかる操作は、多大な労力、大量の時間、及び／又は高い費用を必要とするものとなり得る。更に、場合によっては、媒体は、イメージング装置から取り出して別の装置に装填し、該他の装置が該媒体を適当なサイズに切断し又はトリミングすることが可能である。このような媒体を切断するために別個の機械又は装置を利用するタイプの仕上げプロセス又は操作もまた、多大な労力、大量の時間、及び／又は高い費用を必要とするものとなり得る。
【０００５】
本開示の一例は、イメージング装置内の媒体を切断することが可能な切断モジュールもしくは切断装置又は切断システムを提供する。これは、イメージング装置に装填する前に媒体を予め切断することを回避することが可能であり、及び仕上げ操作時に媒体をイメージング装置から取り出した後に切断することを回避することが可能である。イメージング装置と一体化された本開示の一例は、媒体を適当なサイズに切断し又はトリミングすることに関連する追加の時間及び労力を回避することが可能である。切断モジュールは、媒体に対して行われる切断の精度を向上させるようにイメージング装置と一体化することが可能である。例えば、イメージング装置は、プリントすべき領域のエッジの位置を含むデータを有するため、所望の経路に沿って正確に切断し、又はプリント領域のエッジに沿って正確に切断することが可能であり、又は、媒体に対して行われる他の操作を有することが可能である。実例によっては、例示的な切断モジュール、切断装置、又は切断システムは、該イメージング装置が媒体に対して所望の動作を行った後に切断モジュールが媒体を適当なサイズに切断することができるように該イメージング装置内に配設することが可能である。別の実例では、切断モジュールは、イメージング装置が所望の動作を行う前に、媒体を適当なサイズに切断することが可能である。
【０００６】
ここで図１Ａを参照すると、例示的な切断モジュール100の斜視図が示されている。該切断モジュール100は、ハウジング102、カッター104、及び駆動システム106を含むことが可能である。更に図１Ｂを参照すると、例示的な切断モジュール100の斜視図が示されており、切断モジュール100は、支持シャフト、又は実例によっては駆動シャフト108と係合している。駆動シャフト108は、実例によってはイメージング装置の一部とすることが可能であり、又は実例によっては切断モジュール100の一部とすることが可能である。実例によっては、ハウジング102は、切断モジュール100の構成要素の一部又は全部を部分的に又は全体的に取り囲み及び／又は支持するための剛性又は半剛性のフレーム又はその他の構造とすることが可能である。更なる実例では、切断モジュール100は、駆動シャフト108と係合した際に、駆動シャフト108に沿って移動することが可能である。切断モジュール100は、実例によっては、駆動シャフト108の長手方向軸に沿って移動することが可能である。更なる実例では、ハウジング102は、駆動シャフト108の外周又は外面からつり下げることにより駆動シャフト108と係合することが可能である。更に、実例によっては、切断モジュール100又はそのハウジング102は、駆動シャフト108がその長手方向軸を中心として切断モジュール100に対して回転することが可能となるように、駆動シャフト108と係合する１つ以上のローラーを含むことが可能である。
【０００７】
カッター104は、媒体を切断するよう構成された構成要素とすることが可能である。かかる媒体は、紙、カードストック、ボール紙、ラテックス、ビニール、又はイメージングシステムでの使用に適したその他の媒体を含むことが可能である。実例によっては、カッター104は、ハウジング内に部分的に又は完全に配置し、又はハウジングにより支持し、又はハウジング上に取り付けることが可能である。更なる実例では、カッター104は、適当に鋭利な刃先（cutting edge）、又はカッター104が媒体を切断し得るナイフの刃（knife edge）を有することが可能である。実例によっては、カッター104は、切断モジュール100を通過して移動する媒体と共に回転させることにより媒体を切断する円形の又は回転式のカッターとすることが可能である。別の実例では、カッター104は、直線の刃先を有することが可能であり、該直線の刃先は、ナイフの刃（knife blade）の場合と同様に、媒体が該直線の刃先に対向して通過する際に該媒体を切断することが可能である。
【０００８】
駆動システム106は、カッター104が媒体を切断するようにカッター104を駆動し又は作動させることが可能な構成要素又はシステムとすることが可能である。駆動システム106は、駆動ホイール、歯車、歯、プーリー、ベルト、又はその他の適当な機械的又は電気機械的な構成要素を含むことが可能である。実例によっては、駆動システム106は、カッター104が回転して媒体を切断するように回転する構成要素からカッター104へ回転運動を伝達するトランスミッションとすることが可能である。更なる実例では、駆動システムは、モータとすることが可能であり、又はカッター104を駆動することが可能なモータもしくはその他の電気的な構成要素と係合させることが可能である。
【０００９】
ここで図１Ｃを参照すると、例示的な切断モジュール100を含む例示的なイメージング装置101の斜視図が示されている。例示的なイメージング装置101は、プリンター、プロッター、3Dプリンター、スキャナー、複写機、印刷機、ラベラー、又は媒体又はプリント媒体に対してアクション又は動作を行うことが可能なその他の装置又はシステムとすることが可能である。実例によっては、イメージング装置101は、ロールから媒体を受け取ることが可能である。他の実例では、イメージング装置は、スタック又はリームから媒体を受け取ること、又は一度に１つの個々の媒体を受け取ることが可能である。実例によっては、イメージング装置101は、イメージング装置101が媒体について動作を実行するように、該イメージング装置101の媒体経路を介して媒体110をピックアップし、媒体110を駆動し、又は媒体110を搬送することが可能であり、次いで該媒体経路を介して媒体を出力してイメージング装置外に出し、ユーザが媒体を受け取ることが可能となる。図１Ｃに示す例では、媒体経路は、Ｙ方向と整列した矢印103で表すことが可能である。
【００１０】
イメージング装置101は、例示的な切断モジュール100を含むことが可能である。実例によっては、切断モジュール100は、イメージング装置101の媒体経路103内に配置することが可能である。実例によっては、切断モジュール100は、イメージング装置101のユーザが取り付けることが可能である。更なる実例では、切断モジュール100は、ユーザが切断モジュール100駆動シャフト108上に取り付けることにより、又は切断モジュール100を駆動シャフト108から吊り下げることにより、取り付けることが可能である。実例によっては、駆動シャフト108は、切断モジュール100を媒体経路103内に配置するために、イメージング装置101の媒体経路103内に横方向に、又は媒体経路103を横切って、延びることが可能である。更なる実例では、駆動シャフト108は、駆動シャフト108は、Ｙ方向に垂直な又はそれと直交するＸ方向と実質的に位置合わせされる。ここで、「Ｘ方向と実質的に整列する」なる表現は、切断モジュール100が、駆動シャフト108に沿って媒体経路103に対して横方向にＸ方向に移動すること、及び媒体経路103の全幅に沿って調節可能に配置されることが可能となるような、駆動シャフト108の配置を意味することが可能なものである。換言すれば、切断モジュール100は、媒体110を所望の幅に切断するために、該切断モジュール100を、媒体経路103の幅ひいては該媒体経路内の媒体110を横切って任意の場所に位置決めするように、駆動シャフト108に沿って摺動又は移動させることが可能である。切断モジュール100は、媒体110を所望の幅にカットし又はトリミングするよう適当に位置決めされると、媒体経路103に沿ってＹ方向に媒体110を切断することが可能となる。他の実例では、切断モジュール100は、例えば、媒体を所望の幅に切断するように該切断モジュール100を適当に配置するために駆動シャフト108に沿って、ユーザが手動で移動させ又は摺動させることが可能である。別の実例では、移動装置等の他の構成要素又は装置が、切断モジュール100を駆動シャフト108に沿って移動させることが可能である。実例によっては、切断モジュール100は、例えば、プリンティング等の操作をイメージング装置101が媒体110に対して行う場所から下流側で媒体経路103内に配設することが可能である。かかる実例では、切断モジュール100は、媒体110がイメージング装置101から出力される前に、該媒体110を第１の部分110a及び第２の部分110bへと切断することが可能である。別の実例では、切断モジュール100は、イメージング装置101が媒体110に対して操作を行う場所よりも上流側に配設することが可能であり、これにより、媒体110がイメージング装置による操作を受ける前に該媒体110を切断モジュール100が切断することが可能となる。
【００１１】
ここで、図２Ａ及び図２Ｂを参照すると、例示的な切断モジュール又は切断装置200の斜視図及び側面図が示されている。例示的な切断モジュール200は、例示的な切断モジュール100と同様のものとすることが可能である。更に、例示的な切断モジュール200の同様の名称の構成要素は、上述した例示的な切断モジュール100の構成要素と同様の機能及び／又は構造を有することが可能である。例示的な切断モジュール200は、駆動シャフト208と係合することが可能である。駆動シャフト208は、該駆動シャフトを第１の方向205に回転させるために、モータ、トランスミッション、又はその他の駆動機構と動作可能な状態で係合することが可能である。駆動シャフト208は、該駆動シャフト208が切断モジュール200を支持するように該切断モジュール200のハウジング202と係合することが可能である。ハウジング202は、駆動シャフト208が切断モジュール200に対して回転可能となるように１つ以上のローラを含むことが可能である。実例によっては、駆動シャフト208が、切断モジュール200を完全に支持することができ、及び依然として切断モジュール200に対して回転することができるように、駆動シャフト208は、３つの回転可能な点を介して切断モジュール200と係合することが可能である。更に、切断モジュール200は、媒体経路211を通って移動する媒体を切断するカッター204を駆動する駆動システム206を含むことが可能である。駆動システム206は、駆動シャフト208の回転がカッター204の回転へと伝達されるように駆動シャフト208と係合することが可能である。より詳細には、例えば、第１の方向205における駆動シャフト208の回転は摩擦ホイール214を介して伝達され、次いで該摩擦ホイール214が、その回転をトランスミッションを介して、又は一連の歯、歯車、摩擦ホイール、又はその他の適当な構成要素を介して、図２Ｂに示すように、カッター204を切断方向207に駆動し又は回転させることが可能である。実例によっては、切断方向207は、媒体経路211と同じ方向とすることが可能であり、これにより、媒体が媒体経路211を通って供給される際に、該媒体が移動する方向と同じ方向にカッター204が回転して該媒体を切断することが可能となる。更に、実例によっては、駆動システム206は、適当なギア比又はギアサイズを含むことが可能であり、これにより、駆動シャフト208が回転する結果として、カッター204が適当な又は適正な角速度で回転して、媒体が媒体経路211を通って移動する際に該媒体を切断することが可能となる。
【００１２】
更に、切断モジュール200は、媒体経路211を通って媒体経路211を介して移動する媒体を該媒体経路211に沿った方向で切断するための第２のカッター212を更に含むことが可能である。かかる場合には、カッター204は第１のカッター204とすることが可能である。第２のカッター212は、第１のカッター204と同様のものとすることが可能である。更なる実例では、第１のカッター204及び第２のカッター212は、両方とも回転カッターとすることが可能である。実例によっては、第１のカッター204及び第２のカッター212は、媒体が第１のカッター204及び第２のカッター212の間に供給された際に、媒体経路211内の媒体を適当に切断するように、互いに対して方向付けすることが可能である。実例によっては、第１のカッター204及び第２のカッター212は、それぞれ、他方のカッターの刃先と重なる刃先を有することが可能である。更に、第２のカッター212は、実例によっては、媒体を切断するために駆動システム206により駆動することも可能である。他の実例では、第２のカッター212は、媒体経路211を通って移動する媒体との接触を介して、媒体経路211と同じ方向に、方向209に沿って駆動することが可能である。
【００１３】
更に図２Ｃを参照すると、例示的な切断モジュール200の側面図が示されている。実例によっては、イメージング装置の媒体経路を通って移動する媒体は、既に、媒体上のイメージング装置によって行われる動作にとって適当なサイズになっている。他の実例では、媒体経路211に沿って媒体を切断し又はトリミングすることなく媒体をイメージング装置から出力することが望ましい場合がある。かかる場合には、切断モジュール200は、イメージング装置の媒体経路211外へと調節され、移動され、又は回転されることが可能である。切断モジュール200は、図２Ｃに示すように、切断モジュール200が、媒体経路211を通って移動する媒体210を切断し又はトリミングしないように収容することが可能である。実例によっては、切断モジュール200は、カッター204及び／又は第２のカッター212が媒体経路211から移動されて、切断モジュールがもはやその内部の媒体を切断しなくなるまで、切断モジュール200を駆動シャフト208の長手方向軸の周りに回転させることにより収容することが可能である。更なる実例では、駆動シャフト208は、切断モジュール200を、駆動シャフト208の長手方向軸を中心として媒体経路211外へと回転させることが可能である。更に別の実例では、駆動シャフト208は、例えば、切断モジュール200を、例えば、方向213に沿って、媒体経路外へと回転させるために、方向205とは反対の第２の方向（例えば、方向219）に回転することが可能である。更に別の実例では、駆動システム206は、駆動シャフト208が第２の方向219に回転する際にロックすることが可能であり、これにより、駆動シャフト208の回転により、カッター204がもはや媒体経路211内に位置しなくなり、及び切断モジュール200が媒体経路211内の媒体をもはや切断しなくなるまで、ハウジング202を例示的な方向213に沿って回転させることが可能となる。
【００１４】
ここで図３Ａ及び図３Ｂを参照すると、例示的な切断システムを有する例示的なイメージング装置301の部分的に切り取って示す斜視図及び正面図が示されている。例示的な切断システムは、例示的な切断モジュール300を有することが可能である。該例示的な切断モジュール300及び例示的なイメージング装置301は、上述した例示的な切断モジュール及び例示的なイメージング装置と同様のものとすることが可能である。更に、例示的な切断モジュール300又は例示的なイメージング装置301の同様の名称の構成要素は、上述した例示的な切断モジュール及び例示的なイメージング装置の構成要素と同様の機能及び／又は構造を有することが可能である。実例によっては、イメージング装置301、その内部の切断システム、又はその切断モジュール300は、駆動シャフト308を含むことが可能であり、切断モジュール300は、駆動シャフト308に沿ってＸ方向に調節可能に配置することが可能である。換言すれば、切断モジュール300は、媒体経路303を通って移動する媒体を所望の幅に切断するために切断モジュール300を適当に位置決めするために、Ｘ方向にわたって調節することが可能である。媒体は、媒体経路303に沿って切断することが可能である。実例によっては、媒体経路303は、Ｘ方向と垂直な又はそれと直交するＹ方向と整列させることが可能である。
【００１５】
切断システムは、移動装置316を更に含むことが可能である。移動装置316は、実例によってはイメージング装置301内に配置され、及び切断モジュール300と係合することが可能である。移動装置316は、切断モジュール300を駆動シャフト308に沿ってＸ方向に移動させることが可能な１つ以上の構成要素を含むことが可能である。更に、移動装置316は、該移動装置が切断モジュール300を駆動シャフト308に沿って所望の位置に移動させた後に、切断モジュール300を駆動シャフト308に沿った位置に支持し及び／又は調節可能な状態で固定することが可能である。例えば、移動装置316は、実例によっては、駆動構成要素318及びコネクタ320を含むことが可能である。駆動構成要素318は、切断モジュール300の位置をＸ方向に沿って調節するためにコネクタ320を移動させることが可能な原動力要素又は構成要素とすることが可能である。実例によっては、駆動構成要素318は、モーター又はその他の原動力要素とすることが可能である。コネクタ320は、切断モジュール300を駆動構成要素318と係合させるための１つ以上の構成要素とすることが可能である。例えば、コネクタ320は、切断モジュール300又はその一部と接続し受容するためのクレードルを含むことが可能である。更に、コネクタ320は、駆動構成要素318がクレードル及び内部の切断モジュール300をＸ方向に沿って移動させることができるように、ベルト、チェーン、又はその他のタイプの駆動部を含むことが可能である。他の実例では、コネクタ320は、クレードル、ひいては切断モジュール300をＸ方向に沿って移動させるための他の構成要素（例えば、ウォームギア、又は他の伝達構成要素を含むことが可能である。更なる実施形態では、駆動要素318は、例えば、方向315に回転して、切断モジュール300と係合するベルト駆動部を方向317に沿って引いて、切断モジュール300の位置を調節することが可能である。実例によっては、駆動シャフト308は、切断モジュール300が媒体経路内の媒体を切断しないように、切断モジュールを媒体経路外へ移動させる方向に回転することが可能である。かかる場合、切断モジュール300は、切断モジュール300が媒体経路外へ回転して媒体を切断しなくなるように、移動装置316又はそのコネクタ又はクレードルとの係合状態から取り外し可能とすることが可能である。媒体経路内の媒体を切断するために、駆動シャフト308が切断モジュール300を回転させて媒体経路内に戻した場合、切断モジュール300は、移動装置316又はそのコネクタ又はクレードルと係合すること又は再係合することが可能である。
【００１６】
ここで図３Ｃを参照すると、例示的な切断システムを有する例示的なイメージング装置301の正面図が示されている。該切断システムは、移動装置及び切断モジュール300を含むことが可能である。更に、切断システムは、同一の又は別の第２の移動装置316と係合した別の又は第２の切断モジュール300を含むことが可能である。各切断モジュール300は、駆動シャフト308に沿って例示的な方向317に移動することが可能である。実例によっては、各切断モジュール300は、他の切断モジュール300とは独立して、それぞれの移動装置316によって移動させることが可能である。切断モジュール300の各々は、駆動シャフト308に沿ってＸ方向の異なる位置に移動することが可能であり、それぞれ、媒体を所望の幅に切断するためにＹ方向で異なる部分へと媒体を切断することが可能である。実例によっては、切断システムは、３つ以上の切断モジュール300を含むことが可能であり、各切断モジュール300は、媒体を所望の１つ以上の幅に切断するために、駆動シャフト308に沿ってＸ方向に調節可能又は移動可能なものとすることが可能である。更なる実例では、駆動シャフト308は、切断モジュール300が媒体経路内の媒体を切断しないように、切断モジュール300の一部又は全部を媒体経路外へ回転させることが可能である。
【００１７】
更なる実例では、イメージング装置301は、プロセッサと、メモリに格納されたコンピュータ読み取り可能命令とを含むことが可能である。該命令は、Ｘ方向に沿った位置と、移動装置が切断モジュール300をその位置へ移動させるための命令とを含むことが可能である。更に、命令は、Ｘ方向に沿った位置を別の装置から受信することが可能である。該位置は、外部装置からイメージング装置へ送信することが可能であり、又はユーザインタフェイスを介してイメージング装置に入力することが可能である。実例によっては、ユーザが、特定の又は所望の幅に媒体を切断し又はトリミングするようにイメージング装置に指示することが可能である。実例によっては、イメージング装置は、プリント領域の幅、又は媒体によって操作が行われた領域に、媒体を自動的にトリミングし又は切断することが可能である。次いで、プロセッサは、コンピュータ読み取り可能命令を実行して、媒体を所望の幅に切断するために切断モジュール300を移動させることが可能なＸ方向に沿った位置を決定することが可能である。更に別の実例では、プロセッサは、コンピュータ読み取り可能命令を実行して、移動装置316により別個の切断モジュール300をそれぞれ移動させることが可能な２つの異なる位置を決定することが可能である。したがって、２つの別個の切断モジュール300は、２つの切断モジュール300が一緒になって媒体を所望の幅に切断し又はトリミングするように、Ｘ方向に沿った異なる位置にそれぞれ移動させることが可能である。
【図１Ａ】
2019511370.tif 000003
【図１Ｂ】
2019511370.tif 000004
【図１Ｃ】
2019511370.tif 000005
【図２Ａ】
2019511370.tif 000006
【図２Ｂ】
2019511370.tif 000007
【図２Ｃ】
2019511370.tif 000008
【図３Ａ】
2019511370.tif 000009
【図３Ｂ】
2019511370.tif 000010
【図３Ｃ】
2019511370.tif 000011
【国際調査報告】
2019511370.tif 000012
2019511370.tif 000013